(57)【要約】      （修正有）【課題】工具類を軽労力で自在に手軽に移動、操作できるようにする点である。【解決手段】アーム１の一端に工具類３を、他端に重し２を設置し、アーム上の全体の重心が支点５にくるようにして、その支点、重心を次のアームの一端に軸支し、他端に重しを設置し、次のアーム４上の全体の重心が支点８にくるようにして、最後のアームの支点を支柱７と軸支する。軸支の２辺の狭角を加減すれば又は工具類をアームの一端に、対の他のアームの他端に重しを設置し、アーム上の全体の重心が支点にくるようにして、その支点を支柱と軸支する。その重しを工具類の動きと反対方向に伸縮移動すれば、釣り合っているので容易、自在に軽労力で工具類を移動、位置を変えられる。【選択図】図１
2010149195.tif 000002
【特許請求の範囲】
【請求項１】
ビーム状のアームの一端に工具などの負荷を、他端に重しを設定し、軽労力で負荷を振れる、移動出来る、概釣り合うようにそのアームの重心を支点として次のアームの一端に軸支し、次のアームの他端に重しを設定し、概釣り合うようにその次のアームの重心を支点とするを特徴とする工具等重量軽減、作業支援装置
【請求項２】
ビーム状のアームの一端に工具などの負荷を設定し、アームが伸縮出来るように他端を支点を持つ外被に挿入し、負荷を軽労力で出し入れ出来るように支点の両側が概釣り合うように外被に設定した重しをアームの出し入れ方向と逆方向に移動させるを特徴とする工具等重量軽減、作業支援装置
【請求項３】
負荷を設定したアームが軽労力で移動出来るように、アームの移動量と連動した歯車などの回転する伝動部品の径と、その伝動部品と連動して同じ角度で回転する重しを移動する回転伝動部品の径の比を概負荷の重さと重しの重さとした請求項２の工具等重量軽減、作業支援装置
【請求項４】
アーム、支柱の長さを作業場所に合わせて変えられるように、アーム、支柱を継ぎ足す又は伸縮させる又は折り曲げる請求項１，２，３の装置
【請求項５】
負荷を移動、操作するのに、手で負荷、アームを直にする又は負荷又はアームに一端を設定した操作棒を操ってする請求項１，２，３、４の装置
【請求項６】
負荷を広範囲に移動できるようにアーム又は外被の支点を水平面又は垂直面で又は支柱又は台座の中間が回転出来るように軸支した又は万能継ぎ手で支持するように支柱が傾くようにした請求項１，２，３、４、５の装置
【発明の詳細な説明】
【技術分野】
【０００１】
本発明は、工具等の重量を軽くして楽に持ち、保持、操作して作業を長時間続けても疲労しにくくする又は高所、無理な姿勢を要する箇所でも楽な姿勢、軽労力で安全に作業出来るよう支援する装置に関する。
【背景技術】
【０００２】
天井面で作業する場合、顔を上に向け、工具類の自重を手で支える、工具に力を加える作業の場合さらに力を要する。作業塵等が顔にかかる。壁面の場合、天井面で作業する場合より楽だが工具類の自重を支え、さらに工具に力を加える場合足を後に踏ん張り、支えなければならない。床面の場合、工具類の自重より小さい力で床面に押しつけたい場合、上向きに力を加え、持ち上げ続けなければならない。手の届かない箇所の作業の場合、足場を組まなければならないし、高所の場合落ちて怪我をする恐れがある。
【０００３】
また例えば天井面、壁面などの清掃である。普段から清掃していればいつも清潔で気持ちいいものであるが、力を入れて拭いたり、擦らなければより完全に汚れを除去、取れないので、その苦労した過去の清掃経験を思い出して清掃面を見ただけでうんざり、億劫になりやる気を失ってしまう。未清掃のままだと部屋が暗くなり、照明が有効利用出来なく省エネに逆行する。。
【０００４】
この改善策として、場所に合わせて足場を調整、組むがある。
【特許文献１】特開２００４−０００８４９この場合、最大に広げたローラ回転面積より足場（取り付け台）回転面積を大きく又は回転面積を小さくした場合、より重くしなければ倒れてしまう。ポールの昇降に大きいエネルギー、仕事が必要である。４輪の足場全体を移動させなければならないので手軽にとは言えない。
【発明の開示】
【発明が解決しようとする課題】
【０００５】
構成が複雑であり、極力、小さい力で工具等の負荷を手軽、自在、思いのままに上下、左右、前後、広範囲に移動出来ない点である。
【課題を解決するための手段】
【０００６】
１本の一定の長さの辺、ビーム状のアームは構造が簡単であるが、その辺の先端はその辺の支点を中心とした回転範囲しか移動できないが、負荷の位置をその辺上で左右に移動すれば負荷の回転範囲を変えられる。しかし作業環境が辺の長さ以下であれば辺が物にぶつかり回転移動できない。そこで
三角形の二辺の長さの合計は他の一辺より長いので、負荷を１辺の先端に付け、隣接する他辺と回転出来るように軸支し、その狭角を調整すれば他の一辺の長さを広範囲に調整出来る。最大、二辺の長さの合計から最小、ほばゼロまで縮められるので広範囲に移動出来る。また負荷である工具、アタッチメント類の自重をうち消すのに辺、アームの力点（先端が望ましい）に工具類を取り付け、二辺の軸支点を経由した辺の延長上の作用点に力点側モーメントと概同じになる重しを設置すればよい。軸支点に重心が来る。負荷が付いてないほうのアームの支点に重心がくるように支点の作用点側に重しを設定する。その支点を支柱と軸支する。支柱と台座を繋ぐ。釣り合っているので支点の支柱を支える台座面積を小さく出来る。二辺の軸支点又は負荷が付いてないほうのアームの支点、軸支点を垂直面上又は水平面上で回転出来るようにすれば軽労力で自在に上下、左右、前後に立体的に負荷を移動、作業できる。作用点側モーメントより大きくなるような重しを力点側に設置又は力点側モーメントより小さい作用点側モーメントにすれば力点を下向かせる。力点側モーメントより大きくする重しを作用点側に設置又は作用点側モーメントにすれば力点を上向かせる。力点側又は作用点側の任意の位置にフックなどを設置しそれに重しを引っ掛けたりすれば素早く対応出来る、アームの先端は支点を中心として回転し、作業面に斜め上方又は下方から当たる又は離れるが斜めの力は横成分と縦成分に分解出来るので横、縦成分を、工具類を一定力で押しつける又は引っ張るバネとして利用できる。支点に渦巻きバネ等を設置してもよい。渦巻きバネの一端を支点に固定した軸に他端をアームに固定する。またアームどうしを棒状のバネで接続してもよい。また辺、アームを低摩擦力で軸支した場合、ふらふらして不安定なので摩擦板などを介して挟み軸支し、その押しつけ力を調整してアーム移動力を加減してもよいが、その分、引いたり、押したり、上げ下げした場合、支柱が力を受けて倒れ易くなるので、その分台座面積、重さを大きくする。台座は床面の他、天井面、壁面に設置してもよい。
３辺以上の多辺形でその合成長さを変えてもよい。各二辺の狭角を調整すれば最大、各辺の長さの合計から最小、ゼロまで縮められるのでより広範囲に移動出来る。隣り合う辺同しをつぎつぎと軸支し、各軸支点の作用点側に重しを設置する。
また三角形の内の２辺の狭角を１８０度にし、一方の辺を支柱に軸支し、他方の辺を一方の辺に沿ってその長さを伸縮するようにしてもよい。伸縮する辺、ビーム状のアームの先端に工具等の負荷を付け、その負荷の重さと概同じ又はその負荷のモーメントと概同じになる重さの重しを支柱との支点の反対側にアームの伸縮方向と逆方向に移動させるようにすれば工具を付けたまま軽労力でアーム先端を任意の位置に上下、左右、前後に立体的に移動出来る。力点側モーメントより小さい、重しを設置又は力点側モーメントより小さい作用点側モーメントにすれば力点を下向かせられ、力点側モーメントより大きい重しを設置又は作用点側モーメントにすれば力点を上向かせられ、工具類を対象物に押しつける圧縮バネ又は対象物を引っ張る引っ張りバネとして利用できる。また力点側又は作用点側の任意の位置にフックなどを設置しそれに重しを引っ掛けたりすれば素早く対応出来る。工具を押す、引くのにバネの他、そのアームを押し出し、引っ張る重しの自重でしてもよい。工具類を表側、表面の対象物に押しつける圧縮バネ又は裏側、裏面の対象物に押しつける引っ張りバネとして利用できる。
辺、アームの長さは使用場所に合わせて作成又は外側の辺の外筒辺、内側の辺の内筒辺を挿入、伸縮させて又は辺を重ねて長さを調整、固定すればよい。
【発明の効果】
【０００７】
本装置は１本の棒状のものを折り曲げたり、伸縮させるだけなので格段に使い勝手がよく、場所を広く占有しない。本装置はモップ、ブラシなどの比較的軽量の物の作業に向いているが、重量物の場合にも、重しがそれにつれて重くなってしまうが使える。常に辺、アームの左右のバランスがとれているので最小の力、無動力でアームの先端を垂直、水平、上下、左右、前後方向等に立体的に移動出来る。もちろんそれなりの力を要するがおよそ、概バランスのままで移動させてもよい。アーム全体を支える支柱の台座の面積も小さくできる。上下又は左右又は前後方向のみ移動するようにすれば制約を受けた作業が出来る。二辺の狭角の調整を電動機等の動力源を使っても最小のエネルギーで出来る。アームの先端に作業に合った工具、アタッチメントをつければ、軽労力で自在に工具類を上下、左右方向に向けられ又は上下、左右、前後に移動できるので、体力の弱い者でも容易に作業を長時間続けらる、また飽きない。例えば部屋の天井、壁面、床面の清掃又は屋外の落書き消し作業などである。モップでこするまたはモップを回すのにモーター等の動力を使うと自重が重くなるが、本装置は軽量に出来るので苦にならない。モップで汚れを落とすと同時に吸引除去する吸引機、吸引ホースを設置しても軽く操作出来るので効率的である。手の届かない箇所は延長、操作棒を使ってアーム、工具類を移動、操作すればよい。屋外で植木を剪定するのにも有用である。重い動力剪定バリカンを保持、移動操作するのに労苦を要するが本装置を使えば楽にできる。ブラシで洗車、スプレー塗装、ドリルでの穴空も同様である。その他いろいろな作業が考えられる。
以上作業が楽しくなり、捗る。
【発明を実施するための最良の形態】
【０００８】
安価、汎用な部品、最少な部品点数、簡易な構造で容易な設置、操作を実現した。
【実施例】
【０００９】
図１は本装置の外観図である。ビーム、ビーム状のアームの折れ曲げ（丸数字１）と伸縮（丸数字２）によりアームの全長を加減して、作業範囲を変えるものである。
アーム１の両端に重し２と負荷、作業具３を取り付け、その取り付けられたアーム全体の重心位置を、他のアーム４の一端と回転出来るように軸支５し、他端に重し６を取り付け、その取り付けられたアーム４全体の重心を支柱７と軸支８し、支柱７が倒れないように台座９に固定又は回転出来るように軸支１０するものである。アーム１の重心位置の断面を円形にし、それを丸い外筒で回るように保持し、その外筒をアーム４と軸支すればアーム１を回すことも出来る。手が届く場合は手で直にアーム、工具等を操作して又は届かない場合は工具等に取り付けられた操作棒１１等で狭角θ１、θ２の角度、長さＬ１を変えて負荷を軽労力で移動させる。操作棒１１は伸縮などで長さが調整出来てもよい。アーム、重しが互いに又は支柱にぶつからないようにずらせば狭角θ１、θ２は３６０度の他、何回でも回転出来る。アームの重さを軽くする為に、設計強度を保つ範囲以内でアームに貫通穴を空けたり、一部を折り曲げたり、ダイヤモンドブレーキのように押し出してリブ、窪みを設けてもよい。重しの形状は丸でも四角でも三角でも、どういうものでもよい・・・丸数字１
軸支された支点１２を持つ外被、外筒１３の内部に工具３を取り付けたアーム、内筒１４を挿入して、重し１５を取り付けた外被１３全体の重心の支点からのモーメントと工具３を取り付けたアーム１４全体の支点からの重心のモーメントが支点を中心にして同じになるようにアーム１４の伸縮方向と共にアーム１３上の重し１５を反対方向に移動させるようにして、アームＬ２の長さ、狭角θ３の角度を変えて負荷を軽労力で移動させるものものである。スムーズに出し入れ出来るように、アーム１４の内筒とそれを受け入れる外筒１３の接触面を油脂、ローラー、ボール、車輪などで介在させてもよい・・・丸数字２
両装置とも支点を中心にして左右が釣り合っているので僅かな力で支点を垂直又は水平方向に回転出来るように軸支又は伸縮すれば、全体の長さを調整出来て、因って負荷を広範囲に移動出来る。アーム、支柱の断面形は丸型等の曲面、四辺形等の多辺形などどういう形状でもよい。アーム、支柱の長さ、台座の大きさ、アームを内分する支点、重心の位置は使用場所、条件、使い勝手によって決めればよい。アームの材料は軽くて強靱なものがよい。金属、木、合成樹脂などがある。重しは比重の大きいものがよい。鉄、鉛、水などがある。
【００１０】
図２は図１のアームの折れ曲げ装置の構成図である。重し２は水などの液体を入れるタンクでもよい。上部の蓋付き注入口１６より液体を入れ、入れすぎや、排水のために、蓋付き排出口１７を下部に付ける。計量の為に目盛１８を付けてもよい。かごに石、ブロックなどの固形物を入れてもよい。重さを調整する替わりに位置をずらして、貫通穴１９で留めてもよい。また最大負荷を想定し、それに合わせて重し２を設定し、実際の負荷と最大負荷の差の重しを実際の負荷と一緒に載せれば重し２はいじくらなくてよい。一例としてモップ３で壁面をこする場合、操作棒１１の他、取っ手２０、２１を掴んでしてもよい。操作棒１１はアーム１に付けてもよい。広範囲にモップ３が首を振れるように、球体の半分より僅かに多く、滑るように包んだ包体２２をモップに球体２３をアーム１の先端に設置してもよい。重し２がぶつからないようにアーム４の一部を凹ましてもよい。重し６を左右に移動させるのに、重し６と歯合したネジ２４をハンドル２５で回してもよい。微調整できる。また支柱７の一部又は全部で断面がＣ型のチャンネル内に、滑り、移動出来るブロック２６を設置し、それとアーム４を軸支し、ブロック２６に紐２７を繋げ、力の方向を変える滑車２８にまわして、アーム４上全体の重さと釣り合う重し２９に繋げる。軸支点の回転角度θ１，θ２又はアーム４の上下移動量Ｌ２の全部又は１部を組み合わせれば広範囲から１部制限された範囲まで、モップ３を使って軽労力で清掃出来る。本体を移動し易いように車輪３０、首振り車輪３１、作業し易いように床に留め置くネジ３２を設置してもよい。また軸の回転範囲θ４を制限するために、台座に固定された円盤３２に回転範囲を決める２個の凸片３３，３４を設置、固定して、支柱７に固定された凸片３５がぶつかるようにして、その動きを止める。回転角度θ１，θ２も同様に出来る。重しの重さの加減、移動調整の代わりにフック３６，３７，３８，３９をアームの支点の両側に設置し、それらのフックにネット、容器に入れられた重しを引っ掛けてもよい。迅速に出来る。モップ３に常に下向きの力を加えたい場合、重し２を支点側に寄せるかフック３６に重しを引っ掛けてもよい。その時アーム４のアーム１の支点側の先端が上向けば重し６をその支点側に寄せる又はフック３８に重しを引っ掛ける、下向けば重し６を支点の反対側に離すかフック３９に重しを引っ掛けてもよい。モップ３に常に上向きの力を加えたい場合、重し２を支点の反対側に離すかフック３７に重しを引っ掛けてもよい。その時アーム４のアーム１の支点側の先端が下向けば重し６をその反支点側に離す又はフック３９に重しを引っ掛ける。図２では各アームが支点の片側に設置してあるが、反対側にもアームを設置して両側支持とすればより頑丈、堅牢になる。
【００１１】
図３は作業台３がどの位置でも一定、同じ傾きを保つようにした図である。作業台３、互いに位置をずらしたアーム、１、４０、支軸４１、支軸４２、互いに位置をずらしたアーム４，４３、支軸４２、支柱７でそれぞれが平行四辺形を成して、変形出来るように各片を軸支したものである。丸数字１は側面図、丸数字２は正面図である。
【００１２】
図４は図１の丸数字２の辺を伸縮して位置を変えるものの構成と力の関係を示したものである。長さを変えられるように、支点１２で支持された外被、外筒１３に負荷、工具類を先端に設置した内被、内筒１４を挿入し、内筒を軽労力で移動させる為に、外筒１３上に歯車、滑車４４を設置し、その歯車を内筒上に設置したラック４５で回し、その歯車と同一の軸に固定された歯車４６を回し、内筒の移動方向と反対方向に重し１５が動くようにもう一つ歯車、滑車４８にチェーン、ベルトなどの伝動部品４９を掛けたもの、内筒、外筒の断面は丸型状の曲線でも四角、三角形などの多辺形でもよい。支点１２と支柱との接続は上下又は左右に回転できるよう軸支する・・・丸数字１
内筒１４の先端に設置した負荷、工具の重さＭ１、内筒１４の重心の重さＭ３として、そのＭ１とＭ３の合成の重心の重さＭ２、支点１２からの長さをＸとし、なるべくＭ２を内筒の先端近くになるようにする。重し１５をＭ４、支点からの長さをＹ、外筒１３の重心をＭ５，Ｌ５とする。支点の両側が釣り合う場合は、モーメントＭ２×Ｘ＝Ｍ４×Ｙ＋Ｍ５×Ｌ５でなければならない。この場合ＹとＸの比はＸの値によって変わってしまうので支点の負荷側にＭ５×Ｌ５と同じものＭ６×Ｌ６を設置して打ち消せばＭ２×Ｘ＝Ｍ４×ＹとなりＹとＸの比はＸの値に関わらず一定値Ｍ２／Ｍ４になる。滑車、歯車４４と滑車、歯車４６の径Ｒ１，Ｒ２の比をその比にする。Ｍ２とＭ４の大小により比は小数点以下にも１以上にもなる。比が１の場合チェーン４９と直に接続５０してもよい。それなりの力を要してもよいならＭ６を設置しなくてもよい。
Ｍ５を支点１２上又は左側に設置してもよい。Ｍ６を無くせる又はＭ６をＭ４側に設置出来る。・・・丸数字２
歯車、滑車４４を回すのに、ラック歯車４５で歯合の他、内筒の両端近くに接続、固定したチェーン５１に噛み合わせて又は両端に固定した紐状のもの５２を滑車４４に滑らないような抵抗を持って巻き付けてもよい。
【００１３】
図５は図４の外筒１３を内筒にしてそれに支点を取り付けたものである。その内筒に一面が解放されたコの字型の、図４の内筒１４を外筒として使用したものである。
【００１４】
図６は工具類を作業面に常時押しつけながら又は引っ張りながら作業をする構成方法を表したものである。
伝動部品の一端に重し５３、５４を他端に重し１５を接続し、重し５３，５４の自重で重し１５を左右に移動させ、圧縮力、引っ張り力を発生させる。逆方向に移動させる場合は滑車、歯車５５を経由させる。伝動部品がチェーンならば重し５３、５４が床面に着いちゃった時、重しを任意の穴の位置に簡単に掛け替えられる。また歯車４４と同一の軸に固定された滑車、歯車５６に伝動部品を巻き付け、その軸の左、右側に重し５７，５８の力が加わるようにして圧縮力、引っ張り力を得るようにしてもよい・・・丸数字１
また伝動部品の一端を内筒１４の一端に他端を外筒に設定した滑車５９を経由して重し６０、圧縮バネ６１に接続してもよい。圧縮バネ６１を滑車５９の反対側に回してもよい。圧縮力、引っ張り力を得る。バネ６２の一端を外筒１３に他端を内筒１４に接続してもよい、引っ張りバネか圧縮バネかによって圧縮力、引っ張り力を得られる
【００１５】
図７は支柱を傾けて作業をより広範囲にするものである。
台座９と支柱７を万能継ぎ手６３で接続し、支柱の下端に支柱上部のモーメントと釣り合う重し６４を設置したものである。釣り合っていれば容易に傾けられる。・・・丸数字１
複数の重し６５，６６を野次ろうべー状にして、その重し６４と同じ効果を得てもよい。・・・丸数字２
両方共、支柱が回転出来るように軸支６７，６８してもよい。
【００１６】
図８は作業現場の空間の大きさに合わせて辺、アーム１，４の長さを調整出来るようにするものである。支柱にも適用出来る
ボルト６９などで継ぎ足して全長を調整する。ずらさないで断面が同形の継ぎ足す辺の一方に凸片、他辺にそれを受け入れる穴を設置し、対辺１３と滑らかに接触するように、辺の外形より飛び出さないようにそれらをボルト等で固定すればアーム１４にも適用出来る・・・丸数字１
伸縮させて全長を調整し、ボルトなどで固定する・・・丸数字２
折り曲げて全長を調整し、ボルトなどで固定する・・・丸数字３
【００１７】
図９は、辺、アーム、内被の先端に付けて工具を保持するものである。
狭角θ４、長さＬ４を調整し、ボルト類で動かないよう固定し、図５の作業面の反対側から引っ張って、作業面にモップ類３を押しつけるもの・・・丸数字１
一例の剪定バリカン７０を内筒７１に穿ったネジ穴にボルト７２を使って保持し、その内筒が回転出来るようにボールなどを内筒と外筒７３の間に入れ、外筒に保持する。その外筒を垂直、水平面で回転出来るように軸支７４，７５するものである。前後、水平面、垂直面角度、機具の傾き７６まで調整出来る・・・丸数字２
水平面、垂直面で回転出来るように軸支７７，７８し、一方を固定すれば制限された作業が出来る。工具と釣り合うように重し７９、８０を付けてもよい。軽労力で角度を付けて作業が出来る・・・丸数字３
【００１８】
図１０は複数、３個以上の辺、アームを使ったものである。負荷とそれに釣り合う重しＭ１を設置したその辺のＬ１，Ｌ２に内分された重心を次の辺の負荷として、それと釣り合う重しを設置する。その重心を次の辺の負荷として、それと釣り合う重しを設置するを所要数Ｎの辺まで次々と繰り返すものである。
辺を折り曲げるもの・・・丸数字１
辺を伸縮させるもの・・・丸数字２  
【００１９】
図１１は折り曲げ辺と伸縮辺を組み合わせたものである
２個の伸縮辺を使ったもの・・・丸数字１
１個の伸縮辺と１個の折り曲げ辺を使ったもの・・・丸数字２
１個の折り曲げ辺と２個の伸縮辺を使ったもの・・・丸数字３
２個の折り曲げ辺と２個の伸縮辺を使ったもの・・・丸数字４
以上の他各種の組み合わせが考えられる。
【産業上の利用可能性】
【００２０】
本装置は工具類を軽労力で操作、取り扱えるので、重さを避けられない、疲労を伴う作業に利用出来る。
【図面の簡単な説明】
【００２１】
【図１】２つの本装置の外観図である
【図２】図１のアームの折れ曲げ装置の構成図である
【図３】作業台３がどの位置でも一定、同じ傾きを保つようにした図である
【図４】図１の辺を伸縮して位置を変えるものの構成と力の関係を示したものである
【図５】図４の内筒と外筒を入れ替えたもの
【図６】工具類を作業面に常時押しつけながら又は引っ張りながら作業をする構成方法を表したものである。
【図７】支柱を傾けて作業をより広範囲にするものである
【図８】作業現場の空間の大きさに合わせて辺、アーム１，４の長さを調整出来るようにするものである。支柱にも適用出来る
【図９】辺、アームの先端に付けて工具を保持するものである
【図１０】複数、３個以上の辺、アームを使ったものである
【図１１】折り曲げ辺と伸縮辺を組み合わせたものである
【符号の説明】
【００２２】
１  辺、ビーム、アーム
２  重し
３  工具、負荷、モップ
４  辺、ビーム、アーム
５  軸支点
６  重し
７  支柱  
８  軸支点 
９  台座
１０  軸支点
１１  操作棒
１２  軸支点
１３  外被、外筒
１４  内被、内筒
１５  重し
１６  給水口
１７  排水口
１８  目盛
１９  止め穴
２０  取っ手
２１  取っ手
２２  包球
２３  球
２４  ネジ
２５  ハンドル
２６  ブロック
２７  紐などの伝動部品
２８  滑車
２９  重し６−８  
３０、３１  車輪
３２  留め置きネジ
３３，３４、３５  凸辺
３６，３７，３８，３９  フック
４０  辺、ビーム、アーム
４１，４２  支軸
４３  辺、ビーム、アーム
４４  歯車等の伝動部品
４５  ラック
４６  歯車等の伝動部品
４８  歯車等の伝動部品
４９  チェーン等の伝動部品
５０  接続点
５１  チェーン等の伝動部品
５２  紐などの伝動部品
５３，５４  重し
５５  歯車等の伝動部品
５６  滑車等の伝動部品
５７，５８  重し
５９  滑車等の伝動部品
６０  重し
６１  圧縮バネ
６２  バネ
６３  万能継ぎ手
６４、６５，６６  重し
６７，６８  軸支部
６９  ボルト類
７０  剪定バリカン
７１  内筒
７２  ボルト
７３  外筒
７４，７５  軸支点
７６、７７，７８  回転方向
７９，８０  重し
【図１】
2010149195.tif 000003
【図２】
2010149195.tif 000004
【図３】
2010149195.tif 000005
【図４】
2010149195.tif 000006
【図５】
2010149195.tif 000007
【図６】
2010149195.tif 000008
【図７】
2010149195.tif 000009
【図８】
2010149195.tif 000010
【図９】
2010149195.tif 000011
【図１０】
2010149195.tif 000012
【図１１】
2010149195.tif 000013